(57)【要約】【課題】  障子の開閉及び障子のロック、アンロックを一連の動作として行うことができる開閉機構を提供する。【解決手段】  窓枠に沿って直線動可能に案内されたスライダ２と、鉛直又は水平な回動軸の回りを回動可能に支持された障子と、障子閉鎖時、障子の側端縁と窓枠内面との間に収納されるアーム１と、一端をこのスライダ２に、他端を上記アーム１の中央部に、夫々揺動可能にリンク結合された作動バー３とを有し、スライダを移動させることにより作動バー及びアーム介して障子を開閉させるようにしたものにおいて、スライダのストロークの終端付近において、スライダ２、アーム１及び作動バー３が障子に対して遊動できるようにし、これらスライダ、アーム及び作動バーの障子に対する遊動を利用して、障子のアームを介しての窓枠に対するロックを解き、或いはロックする。【選択図】  図１
2011026793.tif 000002
【特許請求の範囲】
【請求項１】
水平又は鉛直な回動軸の回りを回動可能に支承された障子と、障子の閉鎖時障子を内側に収納できる窓枠と、障子閉鎖時、障子の側端縁と窓枠内面との間に収納されるアームと、このアームに対向する側の窓枠に配設され、その長さ方向に沿って移動可能に案内されたスライダと、一端をこのスライダに、他端を上記アームの中央部に、夫々揺動可能にリンク結合され、障子閉鎖時、障子の側端縁と窓枠内面との間においてアームと重合して折畳まれるように構成された作動バーと、上記障子の側端縁自由端部、及び、障子の閉鎖時これに対向するアームの先端部の何れか一方において、障子の側端縁又はアームの長さ方向に沿って形成された第１ガイド溝と、上記障子の側端縁自由端部及び上記アームの先端部の他方に植設され、この第１ガイド溝に摺動可能に係合した第１ガイドピンと、障子閉鎖時アームの基部と対向する窓枠部分及びアームの基部の何れか一方において、窓枠部分又はアームの長さ方向に沿って形成された第２ガイド溝と、障子閉鎖時アームの基部と対向する窓枠部分及びアームの基部の他方に植設され、この第２ガイド溝に摺動可能に係合した第２ガイドピンと、上記窓枠内面において、上記第２ガイド溝又は第２ガイドピンに近接して形成され、上記第２ガイド溝とほぼ同じ長さのロック溝、及びこのロック溝の一端部に接続され、障子の開き方向に延在する逃げ溝を連設した第３ガイド溝と、上記アームの基端部に植設され、上記第３ガイド溝と摺動可能に係合した第３ガイドピンと、上記アームの中央部、及び、障子閉鎖時これに対向する窓枠の内面の一方に形成された鈎形の第１フックと、上記アームの中央部、及び、障子閉鎖時これに対向する窓枠の内面の他方に植設され、上記第１フックに係脱可能に係合する第１ロックピンと、上記障子の側端縁基部及び上記アームの基部の一方に形成された鈎形の第２フックと、上記障子の側端縁基部及び上記アームの基部の他方に植設され、上記第２フックに係脱可能に係合する第２ロックピンとを有し、障子開放時、スライダとアームとを一体的に移動させて第１及び第２フックとロックピンとの係合を外し、以降、スライダを更に移動させることにより、第２ガイドピンを回動中心として回動するアームの自由端によって障子を開くようにしたことを特徴とする開き窓の開閉機構。
【請求項２】
水平又は鉛直な回動軸の回りを回動可能に支承された障子と、障子の閉鎖時障子を内側に収納できる窓枠と、障子閉鎖時、障子の側端縁と窓枠内面との間に収納されるアームと、このアームに対向する側の窓枠に配設され、その長さ方向に沿って移動可能に案内されたスライダと、一端をこのスライダに、他端を上記アームの中央部に、夫々揺動可能にリンク結合され、障子閉鎖時、障子の側端縁と窓枠内面との間においてアームと重合して折畳まれるように構成された作動バーと、上記障子の側端縁自由端部、及び、障子の閉鎖時これに対向するアームの先端部の何れか一方において、障子の側端縁又はアームの長さ方向に沿って形成された第１ガイド溝と、上記障子の側端縁自由端部及び上記アームの先端部の他方に植設され、この第１ガイド溝に摺動可能に係合した第１ガイドピンと、障子閉鎖時アームの基部と対向する窓枠部分及びアームの基部の何れか一方において、窓枠部分又はアームの長さ方向に沿って形成された第２ガイド溝と、障子閉鎖時アームの基部と対向する窓枠部分及びアームの基部の他方に植設され、この第２ガイド溝に摺動可能に係合した第２ガイドピンと、上記アームの基部において、上記第２ガイド溝又は第２ガイドピンに近接して形成され、上記第２ガイド溝とほぼ同じ長さのロック溝、及びこのロック溝の一端部に接続され、障子の開き方向とは反対方向に延在する逃げ溝を連設した第３ガイド溝と、上記窓枠内面に植設され、上記第３ガイド溝と摺動可能に係合した第３ガイドピンと、上記アームの中央部、及び、障子閉鎖時これに対向する窓枠の内面の一方に形成された鈎形の第１フックと、上記アームの中央部、及び、障子閉鎖時これに対向する窓枠の内面の他方に植設され、上記第１フックに係脱可能に係合する第１ロックピンと、上記障子の側端縁基部及び上記アームの基部の一方に形成された鈎形の第２フックと、上記障子の側端縁基部及び上記アームの基部の他方に植設され、上記第２フックに係脱可能に係合する第２ロックピンとを有し、障子開放時、スライダとアームとを一体的に移動させて第１及び第２フックとロックピンとの係合を外し、以降、スライダを更に移動させることにより、第２ガイドピンを回動中心として回動するアームの自由端によって障子を開くようにしたことを特徴とする開き窓の開閉機構。
【発明の詳細な説明】
【技術分野】
【０００１】
この発明は、開き窓の開閉機構（以下単に開閉機構という）に係り、特に、ハンドル等の外部操作部材の操作により、障子の開閉及び障子のロック、アンロックを一連の動作として行うことができる開閉機構に関する。
【背景技術】
【０００２】
例えば建物の高所にある開き窓や天窓は、窓の開閉時における安全性を確保するため、或いは障子の開度を小さく制限するため、開閉機構を設ける場合が多い。
【先行技術文献】
【特許文献】
【０００３】
【特許文献１】特開２００１−０８２０２１
【特許文献２】特願２００９−０９０５１７
【発明の概要】
【発明が解決しようとする課題】
【０００４】
本出願人は、先に、上記特許文献１を以て、新規な開き閉窓のロック装置を提案した。
【０００５】
このロック装置は、ハンドル１８を操作することにより障子を完全にロックすることはできるが、障子の開閉は手で行う必要がある。
【０００６】
また、本出願人は上記特許文献２により障子の開閉とロックを一動作で行うことができるハンドル装置を提案した。
【０００７】
しかしながら、このハンドル装置は障子のロックをハンドルを固定することにより行うので、ハンドルを完全に固定したとしても、機構に内在するガタや遊びにより、ロック時障子が少しガタつく、等開閉機構としては未だ改良の余地がある。
【０００８】
そこで、この発明は、障子の開閉及び障子のロック、アンロックを一連の動作として行うことができる開閉機構を提供し、前記従来の開閉機構の不都合を解消することを目的としている。
【課題を解決するための手段】
【０００９】
上記の目的を達成するため、請求項１に記載の発明は、水平又は鉛直な回動軸の回りを回動可能に支承された障子と、障子の閉鎖時障子を内側に収納できる窓枠と、障子閉鎖時、障子の側端縁と窓枠内面との間に収納されるアームと、このアームに対向する側の窓枠に配設され、その長さ方向に沿って移動可能に案内されたスライダと、一端をこのスライダに、他端を上記アームの中央部に、夫々揺動可能にリンク結合され、障子閉鎖時、障子の側端縁と窓枠内面との間においてアームと重合して折畳まれるように構成された作動バーと、上記障子の側端縁自由端部、及び、障子の閉鎖時これに対向するアームの先端部の何れか一方において、障子の側端縁又はアームの長さ方向に沿って形成された第１ガイド溝と、上記障子の側端縁自由端部及び上記アームの先端部の他方に植設され、この第１ガイド溝に摺動可能に係合した第１ガイドピンと、障子閉鎖時アームの基部と対向する窓枠部分及びアームの基部の何れか一方において、窓枠部分又はアームの長さ方向に沿って形成された第２ガイド溝と、障子閉鎖時アームの基部と対向する窓枠部分及びアームの基部の他方に植設され、この第２ガイド溝に摺動可能に係合した第２ガイドピンと、上記窓枠内面において、上記第２ガイド溝又は第２ガイドピンに近接して形成され、上記第２ガイド溝とほぼ同じ長さのロック溝、及びこのロック溝の一端部に接続され、障子の開き方向に延在する逃げ溝を連設した第３ガイド溝と、上記アームの基端部に植設され、上記第３ガイド溝と摺動可能に係合した第３ガイドピンと、上記アームの中央部、及び、障子閉鎖時これに対向する窓枠の内面の一方に形成された鈎形の第１フックと、上記アームの中央部、及び、障子閉鎖時これに対向する窓枠の内面の他方に植設され、上記第１フックに係脱可能に係合する第１ロックピンと、上記障子の側端縁基部及び上記アームの基部の一方に形成された鈎形の第２フックと、上記障子の側端縁基部及び上記アームの基部の他方に植設され、上記第２フックに係脱可能に係合する第２ロックピンとを有し、障子開放時、スライダとアームとを一体的に移動させて第１及び第２フックとロックピンとの係合を外し、以降、スライダを更に移動させることにより、第２ガイドピンを回動中心として回動するアームの自由端によって障子を開くようにしたことを特徴とする。
【００１０】
また、請求項２に記載の発明は、水平又は鉛直な回動軸の回りを回動可能に支承された障子と、障子の閉鎖時障子を内側に収納できる窓枠と、障子閉鎖時、障子の側端縁と窓枠内面との間に収納されるアームと、このアームに対向する側の窓枠に配設され、その長さ方向に沿って移動可能に案内されたスライダと、一端をこのスライダに、他端を上記アームの中央部に、夫々揺動可能にリンク結合され、障子閉鎖時、障子の側端縁と窓枠内面との間においてアームと重合して折畳まれるように構成された作動バーと、上記障子の側端縁自由端部、及び、障子の閉鎖時これに対向するアームの先端部の何れか一方において、障子の側端縁又はアームの長さ方向に沿って形成された第１ガイド溝と、上記障子の側端縁自由端部及び上記アームの先端部の他方に植設され、この第１ガイド溝に摺動可能に係合した第１ガイドピンと、障子閉鎖時アームの基部と対向する窓枠部分及びアームの基部の何れか一方において、窓枠部分又はアームの長さ方向に沿って形成された第２ガイド溝と、障子閉鎖時アームの基部と対向する窓枠部分及びアームの基部の他方に植設され、この第２ガイド溝に摺動可能に係合した第２ガイドピンと、上記アームの基部において、上記第２ガイド溝又は第２ガイドピンに近接して形成され、上記第２ガイド溝とほぼ同じ長さのロック溝、及びこのロック溝の一端部に接続され、障子の開き方向とは反対方向に延在する逃げ溝を連設した第３ガイド溝と、上記窓枠内面に植設され、上記第３ガイド溝と摺動可能に係合した第３ガイドピンと、上記アームの中央部、及び、障子閉鎖時これに対向する窓枠の内面の一方に形成された鈎形の第１フックと、上記アームの中央部、及び、障子閉鎖時これに対向する窓枠の内面の他方に植設され、上記第１フックに係脱可能に係合する第１ロックピンと、上記障子の側端縁基部及び上記アームの基部の一方に形成された鈎形の第２フックと、上記障子の側端縁基部及び上記アームの基部の他方に植設され、上記第２フックに係脱可能に係合する第２ロックピンとを有し、障子開放時、スライダとアームとを一体的に移動させて第１及び第２フックとロックピンとの係合を外し、以降、スライダを更に移動させることにより、第２ガイドピンを回動中心として回動するアームの自由端によって障子を開くようにしたことを特徴とする。
【発明の効果】
【００１１】
上記のように構成されたの本願発明は、請求項１に記載のものも、また、請求項２に記載のものも、障子の開放時、スライダを開放方向に移動させることにより、そのストロークの一部を利用して第１フックと第１ロックピンとの係合、及び第２フックと第２ロックピンとの係合を外して障子を窓枠から解放し、以降、更なるスライダの移動により作動バーの他端がアームの中央部を押動してアームを第２ガイドピンの回りを回動させ、このようにしてアームの自由端が障子を開放し、逆にスライダを障子閉鎖方向に移動させることにより、アームが逆方向に回動し、その始めの回動により障子が窓枠に収納される方向に回動し、障子が窓枠に収納された後のスライダの移動により、第１及び第２フックが夫々第１及び第２ロックピンと係合するので、スライダの往復動を障子の開閉及び障子のロック、アンロックの一連の動作に変換することができる。
【００１２】
また、障子の閉鎖時、窓枠とアームとは第１フック及び第１ロックピンとの係合により、アームと障子とは第２フック及び第２ロックピンとの係合により相互に連結されるので、換言すれば障子と窓枠とはアームを介して一体的に連結されるので、ロック時障子がガタつくことがない、等種々の効果を奏する。
【図面の簡単な説明】
【００１３】
【図１】この発明の要部を示す開閉機構の平面図で、アームの待機状態と作動状態とを併示すると共に、障子と窓枠とを省略して示す。
【図２】アームの平面図。
【図３】アームの側面図。
【図４】スライダの一部断面側面図。
【発明を実施するための形態】
【００１４】
窓枠に沿って直線動可能に案内されたスライダと、鉛直又は水平な回動軸の回りを回動可能に支持された障子と、障子閉鎖時、障子の側端縁と窓枠内面との間に収納されるアームと、一端をこのスライダに、他端を上記アームの中央部に、夫々揺動可能にリンク結合され、障子閉鎖時、障子の側端縁と窓枠内面との間においてアームと重合して折畳まれるように構成された作動バーとを有し、スライダを移動させることにより作動バーを介してアームを揺動させ、このアームの自由端により障子を開閉させるようにしたものにおいて、障子の閉鎖のためのスライダのストロークの終端付近において、スライダ、アーム及び作動バーが障子に対して遊動できるようにし、これらスライダ、アーム及び作動バーの障子に対する遊動を利用して、障子のアームを介しての窓枠に対するロックを解き、或いはロックするようにした。
【実施例１】
【００１５】
以下、図面を参照してこの発明の実施例を説明する。
なお、説明の都合上、請求項１に記載された発明の一実施例を示した図示の実施例について説明する。
【００１６】
ちなみに、請求項１に記載された発明と請求項２に記載されたそれとの相違は、第２ガイドピンがアームの基部に植設されている（請求項１に記載の発明）か、或いは障子閉鎖時アームの基部と対向する窓枠の部分に植設されている（請求項２に記載の発明）かの相違だけである。
【００１７】
図１乃至図３において符号１はアームを、また、図３において符号２はスライダを夫々示す。
【００１８】
上記アーム１は、障子閉鎖時、図示しない障子の側端縁と、これも図示しない窓枠内面との間に収納される。
【００１９】
そして、上記障子は、例えば図１においてアーム１の基端（右端）付近を通る水平又は鉛直な回動軸（図示しない）の回りを回動可能に支承されている。
【００２０】
また、上記図示しない窓枠は、障子の閉鎖時障子を内側に収納できる例えば矩形の枠体である。
【００２１】
一方、上記スライダ２は、図１に示すように、アーム１に対向する側の窓枠に配設されており、その長さ方向（図１で左右方向）に移動可能に案内されている。
【００２２】
他方、図１で符号３は作動バーを示し、この作動バー３は、一端をスライダ２に、他端を上記アーム１の中央部に夫々揺動可能にリンク結合されている。
【００２３】
ちなみに、図示の実施例においては、アーム１、スライダ２及び作動バー３からなる駆動ユニットを組立る際、作動バー３の一端を自由にしてアーム１を窓枠の一の部分に、スライダ２を窓枠の他の部分に夫々装着する。
【００２４】
しかる後、作動図３に示すように、作動バー３の一端を、作動バー固定軸１０によりスライダ２に回動可能に止着する。
この様にすることにより、駆動ユニットの組立及び取付作業が容易になる。
【００２５】
そしてこの作動バー３は、障子閉鎖時、障子の側端縁と窓枠内面との間においてアーム１と重合して折畳まれるように構成されている。
【００２６】
また、浅い箱状体に取付フランジを一体に結合した細長い矩形のガイド枠４が、その箱の開口を障子に向けた状態で、例えばねじ止めにより、図示しない障子の側端縁自由端部に装着されている。
【００２７】
上記箱状体の幅方向における中央部には、図１及び図２に示すように、障子の側端縁の長さ方向に沿うほぼ直線状の第１ガイド溝５が開口している。
【００２８】
この第１ガイド溝５には、図３に示すように、アーム１の先端部に植設されたフランジ付の第１ガイドピン６が摺動可能に係合している。
【００２９】
なお、図示の実施例とは逆に、第１ガイド溝５をアームの先端部に開口させ、第１ガイドピン６を障子の側端縁自由端部に植設しても良いことは勿論である。
【００３０】
一方、障子閉鎖時アーム１の基部と対向する窓枠部分には、図１乃至図３に示すように、平板状で両側端縁に断面略Ｌ字形の脚部を一体に形成した支持板７が例えばねじ止めにより装着されている。
【００３１】
そして、この支持板７には、図２に示すように、窓枠部分の長さ方向に沿って開口した第２ガイド溝８が開口している。
【００３２】
この第２ガイド溝８には、アームの基部に植設されたフランジ付の第２ガイドピン９が摺動可能に係合している（図１乃至図３参照）。
【００３３】
また、上記支持板７には、第２ガイド溝８に近接して、第２ガイド溝８と平行でほぼ同じ長さのロック溝１１（図１及び図２参照）、及びこのロック溝１１の一端部に接続され、障子の開き方向、すなわち、図２において斜め右方向に延在する逃げ溝１２を連設した第３ガイド溝１３（図２参照）が開口している。
【００３４】
この第３ガイド溝１３に対応して、アームの基端部にフランジ付の第３ガイドピン（図２及び図３参照）が植設されており、この第３ガイドピンは上記第３ガイド溝に摺動可能に係合している。
【００３５】
一方、図１に示すように、障子閉鎖時アームの中央部に対向する窓枠の内面には鈎形の第１フック１５が形成されている。
【００３６】
この第１フック１５に対応して、アーム１の中央部にはフランジ付の第１ロックピン１６が植設されており、この第１ロックピン１６は図１において右方から左方に移動するとき、第１フック１５と係合してアーム１を窓枠にロックする、すなわち、準安定的にアームを窓枠に錠止するように、上記第１フック１５の鈎形が設定されている。
【００３７】
他方、図１及び図２に示すように、アーム１の基部には鈎形の第２フック１７が形成されている。
【００３８】
この第２フック１７に対応して、障子の側端縁基部にはフランジ付の図示しない第２ロックピンが植設されており、この第２ロックピンは障子閉鎖時、すなわち、図１に示すようにアーム１が障子の側端縁に重合する角度位置にあるとき、第２フックと１７と係合してアーム１を障子の側端縁にロックする、すなわち、準安定的にアーム１を障子の側端縁に錠止する。
【００３９】
上記した構成により、作動バー３を介して一体的に連結されたスライダ２及びアーム１は、全体として障子に対しその側端縁に沿って少し遊動できる。
【００４０】
その遊動量は、第２及び第３ガイドピン９、１４の第２及び第３ガイド溝８、１３における遊動量と同じであり、図１で水平な角度位置で示す障子閉鎖時から上記遊動量だけアーム１が右方に移動することにより、第１及び第２フック及び第１及び第２ロックピンの係合が解け、障子のロックが解除されるように、第１及び第２フック１５、１７の鈎の深さが設定されているものとする。
【００４１】
上記のように構成されたこの発明の一実施例による開閉機構は、図１に示す障子の閉鎖及びロック状態から障子を開放するには、図示しないハンドル装置のウォームギアを介してウォームホイール１８（図１参照）を回動させ、この回動によりスライダ２を右方に移動させる。
【００４２】
すると、上記したようにアーム１が右方に少し移動し、この移動によりフック１１５、１７とロックピンとの係合が解けてアームが自由になる。
【００４３】
このとき第２ガイドピン９は第２ガイド溝８の図２における右端に衝止され、それ以上アームは水平移動できなくなるが、更にスライダを右方に移動させると、今度は作動バー３の他端がアーム１を時計方向に駆動するようになり、その結果アーム１は第２ガイドピン９を回動中心として図１で時計方向に回動する。
【００４４】
すると、アーム１の自由端の第１ガイドピン６が障子の自由端部の第１ガイド溝５に沿って図１で右方に摺動しつつ障子を時計方向に回動させ、この様にして障子を開放させる。
【００４５】
一方、障子を閉鎖するときには、前記図示しないハンドル装置によりスライダ２を図１で左方に移動させる。
【００４６】
すると、障子は上記したと反対方向、すなわち反時計方向に回動し、障子全体が窓枠に収納されるに致る。
【００４７】
この障子の閉鎖状態から前記遊動量分更にスライダが図１で左方に移動することにより、第２ロックピン１６及び障子の側端縁に植設された図示しない第２ロックピンが夫々第１及び第２フック１５、１７の鈎部に夫々係合し、この様にしてアーム１を介して障子が窓枠に確りとロックされることは前記した通りである。
【符号の説明】
【００４８】
１  アーム
２  スライダ
３  作動バー
４  ガイド枠
５  第１ガイド溝
６  第１ガイドピン
７  支持板
８  第２ガイド溝
９  第２ガイドピン
１０  作動バー固定軸
１１  ロック溝
１２  逃げ溝
１３  第３ガイド溝
１４  第３ガイドピン
１５  第１フック
１６  第１ロックピン
１７  第２フック
１８  ウォームホイール
【図１】
2011026793.tif 000003
【図２】
2011026793.tif 000004
【図３】
2011026793.tif 000005
【図４】
2011026793.tif 000006